(57)【要約】      （修正有）【課題】病変部位以外の他の身体の内部に電流が流れないようにしながらも、身体内の内腔で発生した狭窄または閉塞する病変部位に挿入して拡張させるとともに電気熱を加えて病変組職を焼灼させることができる電気熱治療用ステントを提供する。【解決手段】超弾性形状記憶合金ワイヤ２を編んでなる中空円筒状胴体が長手方向に沿って少なくとも二つ以上の分割胴体１０−１、１０−２に分割形成され、フレキシブル材の絶縁体２０で互いに連結構成され、それぞれの前記分割胴体の後方にワイヤ２が延長されて電源連結線がそれぞれ突設され、それぞれの前記分割胴体の電源連結線に電気発生器を連結し、各分割胴体の間で電流が流れることによって発生する電気熱で病変組職を焼灼する。【選択図】図２
2015093193.tif 000002
【特許請求の範囲】
【請求項１】
体内の内腔で発生した狭窄または閉塞する病変部位に挿入して拡張させるとともに電気熱を加えて病変組職を焼灼させる電気熱治療用ステントにおいて、
超弾性形状記憶合金ワイヤ２を編んでなる中空円筒状胴体が長手方向に沿って少なくとも二つ以上の分割胴体に分割形成され、フレキシブル材の絶縁体２０で互いに連結構成され、
それぞれの前記分割胴体の後方にワイヤ２が延長されて電源連結線がそれぞれ突設され、それぞれの前記分割胴体の電源連結線に電気発生器３０が連結されれば、各分割胴体の間で電流が流れることによって発生する電気熱で病変組職を焼灼することを特徴とする、電気熱治療用ステント。
【請求項２】
前記分割胴体が二つの第１及び第２分割胴体１０−１、１０−２に分割形成され、前記第１及び第２分割胴体１０−１、１０−２の後方にワイヤ２がそれぞれ延設された電源連結線１１、１１’が突設され、
前記第１及び第２分割胴体１０−１、１０−２の電源連結線１１、１１’に電気発生器３０が連結されれば、第１及び第２分割胴体１０−１、１０−２の間で電流が流れることによって発生する電気熱で病変組職を焼灼することを特徴とする、請求項１に記載の電気熱治療用ステント。
【請求項３】
前記分割胴体が三つの第１〜第３分割胴体１０−１、１０−２、１０−３に分割形成され、前記第１及び第２分割胴体１０−１、１０−２の後方にワイヤ２がそれぞれ延設された電源連結線１１、１１’が突設され、前記第３分割胴体１０−３の後方にワイヤ２が延設された電源連結線１２が第１分割胴体１０−１の前方に連結形成され、
前記第１及び第２分割胴体１０−１、１０−２の電源連結線１１、１１’に電気発生器３０が連結されれば、第１〜第３分割胴体１０−１、１０−２、１０−３の間で電流が流れることによって発生する電気熱で病変組職を焼灼することを特徴とする、請求項１に記載の電気熱治療用ステント。
【請求項４】
前記分割胴体が四つの第１〜第４分割胴体１０−１、１０−２、１０−３、１０−４に分割形成され、前記第１及び第２分割胴体１０−１、１０−２の後方にワイヤ２がそれぞれ延設された電源連結線１１、１１’が突設され、
前記第３分割胴体１０−３の後方にワイヤ２が延設された電源連結線１２が第１分割胴体１０−１の前方に連結形成され、
前記第４分割胴体１０−４の後方にワイヤ２が延設された電源連結線１２’が第２分割胴体１０−２の前方に連結形成され、
前記第１及び第２分割胴体１０−１、１０−２の電源連結線１１、１１’に電気発生器３０が連結されれば、第１〜第４分割胴体１０−１、１０−２、１０−３、１０−４の間で電流が流れることによって発生する電気熱で病変組職を焼灼することを特徴とする、請求項１に記載の電気熱治療用ステント。
【請求項５】
前記電源連結線は罠状に形成されたことを特徴とする、請求項１〜４のいずれか一項に記載の電気熱治療用ステント。
【請求項６】
前記分割胴体の電源連結線は、皮膚接触を防止するとともに人体に挿入可能な絶縁ポリマーからなった管体４０の内部に挿入されて案内されるように構成されたことを特徴とする、請求項１〜４のいずれか一項に記載の電気熱治療用ステント。
【請求項７】
前記絶縁ポリマーはポリイミド（Ｐｏｌｙｉｍｉｄｅ）またはテフロンまたはナイロンの中でいずれか一種からなることを特徴とする、請求項６に記載の電気熱治療用ステント。
【請求項８】
前記絶縁体２０は人造血管（Ｐｏｌｙｔｅｔｒａｆｌｕｏｒｏｅｔｈｙｌｅｎｅ；ＰＴＦＥ）材からチューブ状に形成されることを特徴とする、請求項１〜４のいずれか一項に記載の電気熱治療用ステント。
【請求項９】
超弾性形状記憶合金からなったワイヤ２を網状に編むとか交差させることで長手方向に長く形成された中空型第１円筒状胴体５０が構成され、前記第１円筒状胴体５０の一端には体内の内腔に係止されるように第１円筒状胴体５０より直径が大きな拡管部５１がさらに形成され、
前記第１円筒状胴体５０は絶縁材でコートされて絶縁層６０が構成され、
前記絶縁層６０の外周面両側には第１円筒状胴体５０より長さが短い中空型第２円筒状胴体７０がそれぞれ構成され、前記第２円筒状胴体７０が円筒状胴体５０にそれぞれ連結固定され、
一対の前記第２円筒状胴体７０の一端からワイヤ２が外側にそれぞれ伸びて電気発生器３０の電源線３１とそれぞれ連結される電源連結線７１が形成され、
前記拡管部５１が体内の内腔に係止されるとともに第１円筒状胴体５０が病変部位２００に位置することで、細くなった体内の内腔を拡張させた後、前記電気発生器３０の電源線３１が第２円筒状胴体７０の電源連結線７１にそれぞれ連結され、一対の前記第２円筒状胴体７０の間で電流が流れることによって発生する電気熱で病変組職を焼灼することを特徴とする、電気熱治療用ステント。
【請求項１０】
前記第２円筒状胴体７０は第１円筒状胴体５０の長手方向に所定間隔で多数構成され、
奇数の位置にあたる前記第２円筒状胴体７０は電源連結線７１で連結されるとともに最後位置の第２円筒状胴体７０の電源連結線７１が電源線３１に連結されるように形成され、残りの第２円筒状胴体７０は電源連結線７１で連結されるとともに最後位置の第２円筒状胴体７０の電源連結線７１が残りの電源線３１に連結されるように形成されることを特徴とする、請求項９に記載の電気熱治療用ステント。
【請求項１１】
前記絶縁層６０はパリレン（Ｐａｒｙｌｅｎｅ）またはシリコン（Ｓｉｌｉｃｏｎｅ）のいずれか１種からなることを特徴とする、請求項９または１０に記載の電気熱治療用ステント。
【請求項１２】
前記第２円筒状胴体７０の電源連結線７１は皮膚接触を防止するとともに人体に挿入可能な絶縁ポリマーからなった管体４０の内部に挿入されて案内されるように構成されることを特徴とする、請求項９または１０に記載の電気熱治療用ステント。
【請求項１３】
前記絶縁ポリマーはポリイミド（Ｐｏｌｙｉｍｉｄｅ）またはテフロンまたはナイロンのいずれか１種からなることを特徴とする、請求項１２に記載の電気熱治療用ステント。
【請求項１４】
前記電源連結線７１は罠状に形成されることを特徴とする、請求項９または１０に記載の電気熱治療用ステント。
【発明の詳細な説明】
【技術分野】
【０００１】
本発明は体内の内腔で発生して狭窄または閉塞する病変部位に挿入して病変部位を拡張させるとともに電気熱を加えて病変組職を焼灼させることができる電気熱治療用ステントに関するものである。
【背景技術】
【０００２】
一般に、体内の疾病によって内腔が狭窄するとか閉塞する。例えば、胃底部癌による胃腸入口の閉塞、食道癌による食道の狭窄、動脈硬化症による血管の狭窄、胆管の狭窄などである。
【０００３】
このように、体内の内腔が狭窄または閉塞すれば、内腔の機能低下はもちろんのこと、各種の余病を引き起こすことになる問題点が発生する。
【０００４】
そこで、前記のような問題点を解決するためにステントを使った。
【０００５】
この種のステントは、図１に示したように、超弾性形状記憶合金ワイヤ２を編んでなる中空円筒状胴体３からなり、内外側及び長手方向に伸縮作用するので、体内の内腔が狭窄または閉塞する病変部位に挿入施術して狭窄または閉塞する病変部位の通路を拡張することになるものである。
【０００６】
しかし、前記従来のステントは、単に狭窄または閉塞する病変部位の通路を拡張するだけで、病変部位の根本的な治療は困難だった。すなわち、体内腔の狭窄または閉塞する病変部位が癌組職、悪性腫瘍などの進行性疾患の場合、癌組職、悪性腫瘍が育ちながら、病変部位に施術されたステントの内側に成長して内腔が再び狭窄または閉塞する問題を解決することはできなかった。
【０００７】
このような従来ステントの問題点を改善する熱治療用ステントが特許文献１の大韓民国登録特許第１０−０４５９９１６号などに開示されたことがある。これは、体内の内腔が狭窄または閉塞する病変部位に挿入施術されたステントに高周波発生器を連結し、前記ステントによって病変部位の通路を拡張するとともに高周波熱を加えて病変部位を焼灼させることによって病変部位を壊死させるものである。
【０００８】
しかし、前述した特許文献１はステント本体が挿入される患者の身体と接触するパッドが連結され、ステント本体とパッドの間に電流が流れるように構成されたから、患者の身体の内部から身体の外部に電流が移動した。
【０００９】
すなわち、身体内部の臓器及び皮膚に電流が流れるため、病変部位以外の内部臓器に否定的な影響が及ぶ可能性があり、パッドが付着される身体外部の皮膚にやけどを負うおそれがあった。
【先行技術文献】
【特許文献】
【００１０】
【特許文献１】大韓民国登録特許第１０−０４５９９１６号明細書
【発明の概要】
【発明が解決しようとする課題】
【００１１】
したがって、本発明は、身体の内部から身体の外部に電流が流れないようにしながらも、身体内の内腔で発生した狭窄または閉塞する病変部位に挿入して拡張させるとともに電気熱を加えて病変組職を焼灼させることができる電気熱治療用ステントを提供することに目的がある。
【課題を解決するための手段】
【００１２】
前述した目的を達成するために、本発明の第１実施例によれば、体内の内腔で発生した狭窄または閉塞する病変部位に挿入されて拡張させるとともに電気熱を加えて病変組職を焼灼させる電気熱治療用ステントであって、超弾性形状記憶合金ワイヤを編んでなる中空円筒状胴体が長手方向に沿って少なくとも二つ以上の分割胴体に分割形成され、フレキシブル材の絶縁体で互いに連結構成され、それぞれの前記分割胴体の後方にワイヤが伸びて電源連結線がそれぞれ突設され、それぞれの前記分割胴体の電源連結線に電気発生器が連結されれば、各分割胴体の間で電流が流れることによって発生する電気熱で病変組職を焼灼することを特徴とする。
【００１３】
前記電源連結線は罠状に形成されることができる。
【００１４】
前記分割胴体の電源連結線は、皮膚接触を防止するとともに人体に挿入可能な絶縁ポリマーからなった管体の内部に挿入されて案内されるように構成されることができる。
【００１５】
前記絶縁体は人造血管（Ｐｏｌｙｔｅｔｒａｆｌｕｏｒｏｅｔｈｙｌｅｎｅ；ＰＴＦＥ）材からチューブ状に形成されることができる。
【００１６】
また、本発明の第２実施例によれば、超弾性形状記憶合金からなったワイヤを網状に編むとか交差させることで長手方向に長く形成された中空型第１円筒状胴体が構成され、前記第１円筒状胴体の一端には体内の内腔に係止されるように第１円筒状胴体より直径が大きな拡管部がさらに形成され、前記第１円筒状胴体は絶縁材でコートされて絶縁層が構成され、前記絶縁層の外周面両側には第１円筒状胴体より長さが短い中空型第２円筒状胴体がそれぞれ構成され、前記第２円筒状胴体が円筒状胴体にそれぞれ連結固定され、一対の前記第２円筒状胴体の一端からワイヤが外側にそれぞれ伸びて電気発生器の電源線とそれぞれ連結される電源連結線が形成され、前記拡管部が体内の内腔に係止されるとともに第１円筒状胴体が病変部位に位置することで、細くなった体内の内腔を拡張させた後、前記電気発生器の電源線が第２円筒状胴体の電源連結線にそれぞれ連結され、一対の前記第２円筒状胴体の間で電流が流れることによって発生する電気熱で病変組職を焼灼することを特徴とする。
【発明の効果】
【００１７】
第１実施例による本発明は、身体の内部から身体の外部に電流が流れないで各分割胴体でばかり電流が流れる効果がある。
【００１８】
また、本発明は、分割胴体から延設された電源連結線を絶縁ポリマーからなった管体でカバーして、体内の内腔に接触することによって発生する不必要な部分の焼灼を防止する効果がある。
【００１９】
また、分割胴体の電源連結線から他の分割胴体に電流が流れることを防止して不必要な電気熱が発生しないように調節する効果もある。
【００２０】
その他に、本発明は、前記分割胴体の電源連結線を罠状に形成することで、部分短絡の場合にも電源を連結するようにし、各分割胴体を連結する絶縁体はチューブ状に人造血管（Ｐｏｌｙｔｅｔｒａｆｌｕｏｒｏｅｔｈｙｌｅｎｅ；ＰＴＦＥ）材から形成することにより、屈曲した内腔にも効果的に挿入施術することができる効果がある。
【００２１】
一方、第２実施例による本発明は、拡管部が病変部位の体内腔の位置に係止されるから、揺れまたは外部で発生する外力によって狭窄または閉塞する病変部位で滑らない効果があるとともに安定的に病変組職を焼灼することができる効果がある。
【００２２】
また、第１円筒状胴体と第２円筒状胴体、すなわち二重に構成されているから、狭窄または閉塞して細くなった体内の内腔をより容易に拡張させた状態で病変組職を電気熱で焼灼することができる効果もある。
【図面の簡単な説明】
【００２３】
【図１】従来のステントの一例を示す正面構成図である。
【図２】本発明のステントの第１実施例を示す正面構成図である。
【図３ａ】図２の“Ａ”部の拡大図である。
【図３ｂ】図２の“Ｂ”部の拡大図である。
【図３ｃ】図２の“Ｃ”部の拡大図である。
【図４】本発明のステントの他の第１実施例を示す正面構成図である。
【図５】本発明のステントのさらに他の第１実施例を示す正面構成図である。
【図６】図２の使用状態を示す正面構成図である。
【図７】図４の使用状態を示す正面構成図である。
【図８】図５の使用状態を示す正面構成図である。
【図９】本発明のステントの第２実施例を示す正面構成図である。
【図１０】本発明のステントの他の第２実施例を示す正面構成図である。
【図１１】図９の使用状態を示す正面構成図である。
【図１２】図１０の使用状態を示す正面構成図である。
【発明を実施するための形態】
【００２４】
以下、前述した本発明の好適な実施例を添付図面に基づいて具体的に説明する。
【００２５】
本発明の第１実施例による電気熱治療用ステント１００は、図２〜図８に示したように、体内の内腔で発生して狭窄または閉塞する病変部位２００に挿入して拡張させるとともに電気熱を加えて病変組職を焼灼させるものである。
【００２６】
これは、超弾性形状記憶合金ワイヤ２を編んでなる中空円筒状胴体を長手方向に沿って少なくとも二つ以上の分割胴体に分割形成してフレキシブル材の絶縁体２０で互いに連結構成し、それぞれの前記分割胴体は後方にワイヤ２が延設された電源連結線を突設し、それぞれの前記分割胴体の電源連結線に電気発生器３０を連結すれば、各分割胴体の間に電流が流れることによって発生する電気熱で病変組職を焼灼するものである。
【００２７】
すなわち、図２に示したように、本発明の第１実施例による電気熱治療用ステント１００は、前記分割胴体を二つの第１及び第２分割胴体１０−１、１０−２に分割形成する場合、前記第１及び第２分割胴体１０−１、１０−２の後方にワイヤ２がそれぞれ伸びた電源連結線１１、１１’を突設して第１及び第２分割胴体１０−１、１０−２の電源連結線１１、１１’に電気発生器３０を連結すれば、第１及び第２分割胴体１０−１、１０−２の間で電流が流れることによって発生する電気熱で病変組職を焼灼するものである。
【００２８】
また、図４に示したように、本発明の他の第１実施例による電気熱治療用ステント１００は、前記分割胴体を三つの第１〜第３分割胴体１０−１、１０−２、１０−３に分割形成する場合、前記第１及び第２分割胴体１０−１、１０−２の後方にワイヤ２がそれぞれ伸びた電源連結線１１、１１’を突設し、前記第３分割胴体１０−３の後方にワイヤ２が延設された電源連結線１２を第１分割胴体１０−１の前方に連結形成し、前記第１及び第２分割胴体１０−１、１０−２の電源連結線１１、１１’に電気発生器３０を連結すれば、第１〜第３分割胴体１０−１、１０−２、１０−３の間で電流が流れることによって発生する電気熱で病変組職を焼灼するものである。
【００２９】
また、図５に示したように、本発明のさらに他の第１実施例による電気熱治療用ステント１００は、前記分割胴体を四つの第１〜第４分割胴体１０−１、１０−２、１０−３、１０−４に分割形成する場合、前記第１及び第２分割胴体１０−１、１０−２の後方にワイヤ２がそれぞれ延設された電源連結線１１、１１’を突設し、第３分割胴体１０−３の後方にワイヤ２が延設された電源連結線１２を第１分割胴体１０−１の前方に連結形成し、第４分割胴体１０−４の後方にワイヤ２が延設された電源連結線１２’を第２分割胴体１０−２の前方に連結形成し、前記第１及び第２分割胴体１０−１、１０−２の電源連結線１１、１１’に電気発生器３０を連結すれば、第１〜第４分割胴体１０−１、１０−２、１０−３、１０−４の間で電流が流れることによって発生する電気熱で病変組職を焼灼するものである。
【００３０】
また、本発明において、前記第３及び第４分割胴体１０−３、１０−４の電源連結線１２、１２’も第１及び第２分割胴体１０−１、１０−２の電源連結線１１、１１’とは別に後方にさらに延設し、電気発生器３０を選択的に連結して焼灼することもできるが、このように体内の内腔で多数の分割胴体を電気発生器３０とそれぞれ連結することが困るので、大別して２位置に区分して連結することが好ましい。
【００３１】
もちろん、それぞれの前記分割胴体は隣接しない分割胴体どうし連結されたが、病変部位２００の状況に応じて電気熱が発生するように隣接した分割胴体どうし連結されることもできる。
【００３２】
また、図３ａ〜図３ｃに示したように、前記第１及び第２分割胴体１０−１、１０−２の電源連結線１１、１１’は部分的に短絡しても持続的に電源を連結するように単線ではない罠状（二線）に形成する。
【００３３】
もちろん、図４に示したように、前記第１〜第３分割胴体１０−１、１０−２、１０−３の電源連結線１１、１１’１２も単線ではない罠状（二線）で形成し、図５に示したように、前記第１〜第４分割胴体１０−１、１０−２、１０−３、１０−４の電源連結線１１、１１’１２、１２’も単線ではない罠状（二線）に形成する。
【００３４】
そして、前記絶縁体２０は人造血管（Ｐｏｌｙｔｅｔｒａｆｌｕｏｒｏｅｔｈｙｌｅｎｅ；ＰＴＦＥ）材からチューブ状に形成される。
【００３５】
また、前記分割胴体の電源連結線は分割胴体の外側に延設されるため、皮膚接触を防止するために絶縁ポリマー管体４０の内部に挿入されて案内されるように設置構成される。
【００３６】
この際、前記絶縁ポリマーは絶縁材のポリイミド（Ｐｏｌｙｉｍｉｄｅ）または絶縁材のテフロンまたは絶縁材のナイロンの中でいずれか１種からなることができる。
【００３７】
そして、前記第１及び第２分割胴体１０−１、１０−２の電源連結線１１、１１’には電気発生器３０の電源線３１を直接連結するとか、別に体内腔に挿入することができる補助器具（やっとこ型）によってステントを挿入施術した後、電源連結線１１、１１’を噛んで間接的に連結するように構成することができるのはいうまでもない。
【００３８】
また、前記第１〜第４分割胴体１０−１、１０−２、１０−３、１０−４は超弾性形状記憶合金ワイヤ２を編んで形成し、内外側及び長手方向に伸縮作動可能な多様な方式で編んで構成することができる。このような分割胴体の形状、個数、長さ及び電源連結線の連結構造は多様に変更実施することができるが、このような単純構造の変更は本発明の権利範囲に属するものである。
【００３９】
一方、本発明の第２実施例による前記電気熱治療用ステント１００は、図９に示したように、超弾性形状記憶合金からなったワイヤ２を網状に編むとか交差させて長手方向に長く形成された中空型第１円筒状胴体５０を構成し、前記第１円筒状胴体５０の一端には体内の内腔に係止されるように第１円筒状胴体５０より直径が大きな拡管部５１をさらに形成する。
【００４０】
そして、前記拡管部５１を除いた第１円筒状胴体５０を絶縁材でコートして絶縁層６０を構成し、前記絶縁層６０の外周面両側には第１円筒状胴体５０より長さが短い中空型第２円筒状胴体７０をそれぞれ構成し、前記第２円筒状胴体７０を第１円筒状胴体５０にそれぞれ連結して固定する。
【００４１】
すなわち、前記第２円筒状胴体７０の入口及び出口が形成された両端を外表面が絶縁層６０でコートされた第１円筒状胴体５０の円周方向に糸で縫って連結固定するものである。
【００４２】
もちろん、前記第２円筒状胴体７０の外周面を外表面が絶縁層６０でコートされた第１円筒状胴体５０の長手方向または斜線方向または螺旋方向に糸で縫って連結固定することもできる。
【００４３】
この際、前記絶縁層６０は絶縁効果に優れたパリレン（Ｐａｒｙｌｅｎｅ）またはシリコン（Ｓｉｌｉｃｏｎｅ）のいずれか一種の素材からなる。
【００４４】
そして、一対の前記第２円筒状胴体７０の一端からワイヤ２を拡管部５１の反対方向の外側にそれぞれ延長することで、電気発生器３０の電源線３１とそれぞれ連結される電源連結線７１を形成する。
【００４５】
この際、前記拡管部５１から一番近い第２円筒状胴体７０の電源連結線７１は拡管部５１から一番遠い第２円筒状胴体７０から外れるほどに形成する。
【００４６】
すなわち、前記電気発生器３０の電源線３１と一対の第２円筒状胴体７０の電源連結線７１を容易に連結するためである。
【００４７】
この際、前記第２円筒状胴体７０の電源連結線７１は皮膚接触を防止するとともに人体に挿入可能な絶縁ポリマーからなった管体４０の内部に挿入されて案内されるように構成され、電源連結線７１の末端は露出されるように形成する。
【００４８】
すなわち、前記電気発生器３０から供給される電流が重畳しないでそれぞれの第２円筒状胴体７０にだけ供給されるようにするためである。
【００４９】
この際、前記絶縁ポリマーは絶縁材のポリイミド（Ｐｏｌｙｉｍｉｄｅ）または絶縁材のテフロンまたは絶縁材のナイロンの中でいずれか１種からなることができる。
【００５０】
そして、前記電源連結線７１は単線ではない罠状（二線）に形成する。
【００５１】
ここで、前記電源連結線７１は電気発生器３０の電源線３１を直接連結するとか、あるいは体内の内腔に挿入することができるとともに電流の供給を受ける補助器具（やっとこ型）によって間接的に連結することができる。
【００５２】
本発明の他の第２実施例による前記電気熱治療用ステント１００は、図１０に示したように、第２円筒状胴体７０を第１円筒形胴体５０の長手方向に所定間隔で多数を構成する。
【００５３】
この際、前記第２円筒状胴体７０の個数は第１円筒状胴体５０が長く形成されるほど図９に示した第２円筒状胴体７０より多く構成することもできる。
【００５４】
そして、多数の前記第２円筒状胴体７０の中で奇数の位置にあたる前記第２円筒状胴体７０は電源連結線７１で連結し、奇数の位置で最後の位置にあたる第２円筒状胴体７０の電源連結線７１を電気発生器３０の電源線３１に連結するように拡管部５１の反対方向の外側に延設する。
【００５５】
また、多数の前記第２円筒状胴体７０の中で偶数の位置、つまり残りの第２円筒状胴体７０は電源連結線７１で連結し、偶数の位置で最後の位置にあたる第２円筒状胴体７０の電源連結線７１を残りの電源線３１に連結するように拡管部５１の反対方向の外側に延設する。
【００５６】
この際、図９で説明したように、前記絶縁層６０は絶縁効果に優れたパリレン（Ｐａｒｙｌｅｎｅ）またはシリコン（Ｓｉｌｉｃｏｎｅ）のいずれか１種の素材からなるようにし、前記第２円筒状胴体７０の電源連結線７１は皮膚接触を防止するとともに人体に挿入可能な絶縁ポリマーからなった管体４０の内部に挿入されて案内されるように構成される。
【００５７】
ここで、前記絶縁ポリマーは絶縁材のポリイミド（Ｐｏｌｙｉｍｉｄｅ）または絶縁材のテフロンまたは絶縁材のナイロンの中でいずれか１種からなることができる。
【００５８】
そして、図９で説明したように前記電源連結線７１は単線ではない罠状（二線）に形成し、前記電源連結線７１は電気発生器３０の電源線３１を直接連結するとか、あるいは体内の内腔に挿入することができるとともに電流の供給を受ける補助器具（やっとこ型）によって間接的に連結することができる。
【００５９】
もちろん、前記第２円筒状胴体７０は隣接しない第２円筒状胴体７０どうし連結されたが、病変部位２００の状況に応じて電気熱が発生するように隣接した第２円筒状胴体７０どうし連結されることもできる。
【００６０】
次に、前記のように構成される本発明の作動及び作用について詳細に説明する。
【００６１】
まず、体内の内腔に癌組職、悪性腫瘍などによる狭窄または閉塞する病変部位２００にステント挿入装置によってステント１００を挿入して施術することになる。
【００６２】
前記ステント１００は超弾性形状記憶合金ワイヤ２を編んで形成した中空円筒状胴体を長手方向に沿って少なくとも二つ以上に分割した分割胴体をフレキシブル材、つまり人造血管（Ｐｏｌｙｔｅｔｒａｆｌｕｏｒｏｅｔｈｙｌｅｎｅ；ＰＴＦＥ）材の絶縁体２０で連結したもので、前記分割胴体を狭窄または閉塞する病変部位２００に挿入して病変部位２００を拡張させることによって通路を確保することになるものである。
【００６３】
この状態で、それぞれの前記分割胴体の後方にワイヤ２が延設された電源連結線に電気発生器３０を連結すれば、それぞれの前記分割胴体の間で電流が流れることによって発生する電気熱で病変組職を焼灼することができるものである。
【００６４】
これをより具体的に説明すれば、前記分割胴体を二つの第１及び第２分割胴体１０−１、１０−２に分割して形成する場合、図６に示したように、前記第１及び第２分割胴体１０−１、１０−２の後方にワイヤ２がそれぞれ延設された電源連結線１１、１１’に電気発生器３０の電源線３１をそれぞれ連結すれば、第１及び第２分割胴体１０−１、１０−２の間で電流が流れることによって発生する電気熱で病変組職を焼灼することができるものである。
【００６５】
また、前記分割胴体を三つの第１〜第３分割胴体１０−１、１０−２、１０−３に分割して形成する場合、図７のように、前記第１及び第３分割胴体１０−１、１０−３が電源連結線１２で互いに連結されているので、前記第１及び第２分割胴体１０−１、１０−２の後方にワイヤ２がそれぞれ延設された電源連結線１１、１１’に電気発生器３０の電源線３１をそれぞれ連結すれば、第１〜第３分割胴体１０−１、１０−２、１０−３の間で電流が流れることによって発生する電気熱で病変組職を焼灼することができるものである。
【００６６】
また、前記分割胴体を四つの第１〜第４分割胴体１０−１、１０−２、１０−３、１０−４に分割して形成する場合、図８のように、前記第１及び第３分割胴体１０−１、１０−３と第２及び第４分割胴体１０−２、１０−４が電源連結線１２、１２’で互いに連結されているので、前記第１及び第２分割胴体１０−１、１０−２の後方にワイヤ２がそれぞれ延設された電源連結線１１、１１’に電気発生器３０の電源線３１をそれぞれ連結すれば、第１〜第４分割胴体１０−１、１０−２、１０−３、１０−４の間で電流が流れることによって発生する電気熱で病変組職を焼灼することができるものである。
【００６７】
このように、本発明の第１実施例による前記ステント１００は長手方向に沿って少なくとも二つ以上に分割した各分割胴体の間で電流を流すことによって発生する電気熱で、病変部位２００以外の不必要な部位の焼灼を防止しながら最小範囲で病変組職を焼灼させて治療することができることになるものである。
【００６８】
すなわち、前記病変部位２００以外の身体の内部臓器と皮膚に電流が流れないものである。
【００６９】
また、それぞれの前記分割胴体の個数や長さなどを病変部位２００の長さ及び広さなどによって多様に構成し、本発明のステント１００の施術によって多様な病変部位２００を焼灼することができるものである。
【００７０】
その外に、本発明は前記第１〜第４分割胴体１０−１、１０−２、１０−３、１０−４の電源連結線１１、１１’１２、１２’を単線ではない罠状（二線）に形成するので、使用中に部分的に短絡しても電源連結をずっと維持することができるものである。
【００７１】
そして、それぞれの前記分割胴体を連結する絶縁体２０は人造血管（Ｐｏｌｙｔｅｔｒａｆｌｕｏｒｏｅｔｈｙｌｅｎｅ；ＰＴＦＥ）材からチューブ状に形成し、施術による人体の副作用を防止するのはもちろんのこと屈曲形態の内腔施術も容易にできるようにするものである。
【００７２】
また、前記第１〜第４分割胴体１０−１、１０−２、１０−３、１０−４の電源連結線１１、１１’１２、１２’が絶縁ポリマーからなった管体４０の内部に挿入されて案内されるようにするので、前記電源連結線１１、１１’１２、１２’の皮膚接触を防止して不必要な身体部位の焼灼を防止することになるものである。
【００７３】
また、図６に示したように、前記第１分割胴体１０−１の外周面を通る電源連結線１１’に供給される電流が、前記第２分割胴体１０−２ではない他の分割胴体に流れることを防止するものである。
【００７４】
また、図７に示したように、前記第１及び第２分割胴体１０−１、１０−２の外周面を通る電源連結線１１’１２に供給される電流が、前記第２分割胴体１０−２及び前記第１及び第３分割胴体１０−１、１０−３以外の他の分割胴体に流れることを防止するものである。
【００７５】
また、図８に示したように、前記第１〜第３分割胴体１０−１、１０−２、１０−３の外周面を通る電源連結線１１’１２、１２’に供給される電流が、前記第１及び第３分割胴体１０−１、１０−３及び前記第２及び第４分割胴体１０−２、１０−４以外の他の分割胴体に流れることを防止するものである。
【００７６】
言い換えれば、前記第１〜第４分割胴体１０−１、１０−２、１０−３、１０−４の電源連結線１１、１１’１２、１２’が絶縁ポリマーからなった管体４０の内部に挿入されて案内されることにより、電源連結線１１、１１’１２、１２’の電流が不必要な分割胴体に流れて不必要な電気熱が発生しないように調節するものである。
【００７７】
すなわち、前記絶縁ポリマーは絶縁材のポリイミド（Ｐｏｌｙｉｍｉｄｅ）または絶縁材のテフロンまたは絶縁材のナイロンの中でいずれか１種からなるようにして、不必要な電流の流れによる不必要な電気熱が発生しないようにするものである。
【００７８】
そして、前記電気発生器３０は高周波を用いた高周波電源供給装置からなることができ、第１及び第２分割胴体１０−１、１０−２の電源連結線１１、１１’とそれぞれ連結される電源線３１は陽極と陰極または陰極と陽極にそれぞれ極性が変わることができる。
【００７９】
一方、図１１に示したように、本発明の第２実施例による前記電気熱治療用ステント１００を狭窄または閉塞する病変部位に位置する体内の内腔に設置する。
【００８０】
この際、前記第１円筒状胴体５０より直径が大きな拡管部５１を体内の内腔に係止させるとともに第１円筒状胴体５０によって狭窄または閉塞して細くなった体内の内腔を拡張させる。
【００８１】
ここで、前記拡管部５１は人体の揺れまたは外部で発生する外力によって狭窄または閉塞する病変部位で滑らないように体内の内腔に係止されるものである。
【００８２】
そして、前記電気発生器３０の電源線３１を第２円筒状胴体７０の電源連結線７１にそれぞれ連結し、一対の前記第２円筒状胴体７０の間で電流を流すことによって発生する電気熱で病変組職を焼灼する。
【００８３】
この際、前記電源連結線７１は絶縁ポリマーからなった管体４０の内部に挿入されているから、一対の前記第２円筒状胴体７０で不必要な電流の流れによる不必要な電気熱が発生することを防止する。
【００８４】
すなわち、前記拡管部５１に一番近い第２円筒状胴体７０の電源連結線７１が残りの第２円筒状胴体７０に隣接していても絶縁ポリマーからなった管体４０によって、電源連結線７１に供給された電流が隣接した前記残りの第２円筒状胴体７０に電流が流れなくなるものである。
【００８５】
言い換えれば、前記絶縁ポリマーは絶縁材のポリイミド（Ｐｏｌｙｉｍｉｄｅ）または絶縁材のテフロンまたは絶縁材のナイロンの中でいずれか１種からなるようにして、不必要な電流の流れによる不必要な電気熱が発生しないようにするものである。
【００８６】
また、前記絶縁層６０は絶縁効果に優れたパリレン（Ｐａｒｙｌｅｎｅ）またはシリコン（Ｓｉｌｉｃｏｎｅ）のいずれか１種の素材からなっているから、電気発生器３０から電流の供給を受ける第２円筒状胴体７０から第１円筒状胴体５０に電流が流れないようにすることにより、不必要な電気熱が発生することを防止する。
【００８７】
そして、前記電源連結線７１は単線ではない罠状（二線）に形成されているから、焼灼作業中に電源連結線７１の一部が短絡しても持続的に第２円筒状胴体７０に電流を供給することができる。
【００８８】
また、前記電気熱治療用ステント１００は第１円筒状胴体５０と一対の第２円筒状胴体７０、つまり二重に構成されているから、細くなった体内の内腔をより容易に拡張させた状態で病変組職を焼灼することができる。
【００８９】
そして、前記電気発生器３０は高周波を用いた高周波電源供給装置からなることができ、一対の第２円筒状胴体７０の電源連結線７１とそれぞれ連結される電源線３１は陽極と陰極または陰極と陽極にそれぞれ極性が変わることができる。
【００９０】
一方、図１２に示したように、図１１に示した狭窄または閉塞する病変部位より長いとか広い場合、本発明の他の第２実施例による前記電気熱治療用ステント１００を病変部位に位置する体内の内腔に設置する。
【００９１】
すなわち、前記第１円筒状胴体５０の長手方向に所定間隔で多数構成された第２円筒状胴体７０によって細くなった体内の内腔を拡張させる。
【００９２】
そして、多数の前記第２円筒状胴体７０のうち奇数の位置の中で最後の位置にあたる第２円筒状胴体７０の電源連結線７１を電気発生器３０の電源線３１に連結し、多数の前記第２円筒状胴体７０のうち偶数の位置の中で最後の位置にあたる第２円筒状胴体７０の電源連結線７１を残りの電源線３１に連結する。
【００９３】
よって、多数の前記第２円筒状胴体７０の間に電流を流すことによって発生する電気熱で病変組職を焼灼する。
【００９４】
すなわち、図１１より長くて広くなった前記電気熱で病変組職を焼灼することができるものである。
【００９５】
この際、前記電源連結線７１は絶縁ポリマーからなった管体４０の内部に挿入されているため、奇数の位置の第２円筒状胴体７０と偶数の位置の第２円筒状胴体７０において不必要な電流の流れによる不必要な電気熱が発生することを防止する。
【００９６】
すなわち、奇数の位置の前記第２円筒状胴体７０と連結された電源連結線７１から偶数の位置の第２円筒状胴体７０に電流が流れることを防止し、あるいは偶数の位置の前記第２円筒状胴体７０と連結された電源連結線７１から奇数の位置の第２円筒状胴体７０に電流が流れることを防止するものである。
【００９７】
言い換えれば、前記絶縁ポリマーは絶縁材のポリイミド（Ｐｏｌｙｉｍｉｄｅ）または絶縁材のテフロンまたは絶縁材のナイロンの中でいずれか１種からなるようにして、不必要な電流の流れによる不必要な電気熱が発生しないようにするものである。
【００９８】
また、前記絶縁層６０は絶縁効果に優れたパリレン（Ｐａｒｙｌｅｎｅ）またはシリコン（Ｓｉｌｉｃｏｎｅ）のいずれか１種の素材からなっているから、電気発生器３０から電流の供給を受ける多数の第２円筒状胴体７０から第１円筒状胴体５０に電流が流れないようにすることにより、不必要な電気熱が発生することを防止する。
【００９９】
そして、前記電源連結線７１は単線ではない罠状（二線）に形成されているので、焼灼作業中に電源連結線７１の一部が短絡しても持続的に多数の第２円筒状胴体７０に電流を供給することができる。
【０１００】
また、前記電気熱治療用ステント１００は第１円筒状胴体５０と多数の第２円筒状胴体７０、すなわち二重に構成されているので、細くなった体内の内腔をより容易に拡張させた状態で、図１１の病変組職より長くて広く焼灼することができる。
【０１０１】
そして、前記電気発生器３０は高周波を用いた高周波電源供給装置からなることができ、奇数の位置及び偶数の位置の中で最後に位置する第２円筒状胴体７０の電源連結線７１とそれぞれ連結される電源線３１は陽極と陰極または陰極と陽極に極性がそれぞれ変わることができる。
【０１０２】
以上、本発明を特定の好適な実施例に基づいて図示して説明したが、本発明は前述した実施例に限定されなく、本発明の精神を逸脱しない範疇内で本発明が属する技術分野で通常の知識を持った者によって多様な変更及び修正が可能であろう。
【符号の説明】
【０１０３】
１０−１    分割胴体
１０−２    分割胴体
１０−３    分割胴体
１０−４    分割胴体
１１    電源連結線
１１’     電源連結線
１２    電源連結線
１２’    電源連結線
２０    絶縁体
３０    電気発生器
３１    電源線
４０    管体
５０    第１円筒状胴体
５１    拡管部
６０    絶縁層
７０    第２円筒状胴体
７１    電源連結線
１００    ステント
【図１】
2015093193.tif 000003
【図２】
2015093193.tif 000004
【図３ａ】
2015093193.tif 000005
【図３ｂ】
2015093193.tif 000006
【図３ｃ】
2015093193.tif 000007
【図４】
2015093193.tif 000008
【図５】
2015093193.tif 000009
【図６】
2015093193.tif 000010
【図７】
2015093193.tif 000011
【図８】
2015093193.tif 000012
【図９】
2015093193.tif 000013
【図１０】
2015093193.tif 000014
【図１１】
2015093193.tif 000015
【図１２】
2015093193.tif 000016